(57)【特許請求の範囲】
【請求項１】
発光素子を実装した電飾基板と、その電飾基板を前方から覆いかつ透光樹脂を含む装飾カバーとが前面に取り付けられた遊技機において、
前記電飾基板には、遊技機の電源に備えたアースラインに導通接続されたアース接続部と、前記装飾カバー及び前記アース接続部に導通接続又は隣接して前記装飾カバーに帯電する静電気を前記アースラインに取り込む導電性の静電気取込部とが備えられ、
前記静電気取込部は、スピーカーの振動膜を保持する金属ブラケットであることを特徴とする遊技機。
【請求項２】
前記装飾カバーの一部にメッキが施され、そのメッキに前記静電気取込部が導通接続又は隣接していることを特徴とする請求項１に記載の遊技機。
【請求項３】
前記電飾基板の一部が前記装飾カバーから露出し、その露出部分に前記静電気取込部が取り付けられ、前記装飾カバーに側方から隣接配置されていることを特徴とする請求項１又は２に記載の遊技機。
【請求項４】
前記電飾基板に設けられ、膜状に広がりかつ前記アース接続部に接続されたベタ導体層と、
前記ベタ導体層に接続され、前記電飾基板の前面と後面とに露出した複数のスルーホールとを備えたことを特徴とする請求項１又は２に記載の遊技機。
【請求項５】
遊技球が流下可能な遊技板と、
前記遊技板の前方に配置された枠状をなし、内側が前記遊技板を視認するための遊技窓になっている前面樹脂枠と、
前記前面樹脂枠の後面に重ねられた状態に取り付けられて、前記前面樹脂枠を補強すると共に前記電源の前記アースラインに導通接続された金属補強板と、
前記前面樹脂枠の前面に重ねて取り付けられた前記電飾基板を含む複数の前面側電気部品と、
前記前面樹脂枠及び前記金属補強板とを貫通した複数のアース接続用貫通孔と、
前記複数のアース接続用貫通孔にそれぞれ挿通され、一端部が前記複数の前面側電気部品に電気接続されると共に、他端部が前記金属補強板に接続された複数の中継アースケーブルとを備えたことを特徴とする請求項１乃至４の何れか１の請求項に記載の遊技機。
【発明の詳細な説明】
【技術分野】
【０００１】
本発明は、電飾基板と、その電飾基板を前方から覆う装飾カバーとが前面に取り付けられた遊技機に関する。
【背景技術】
【０００２】
従前は、遊技機は、遊技板のみが頻繁に変更され、遊技板が取り付けられる枠体は変更されることが希であった。ところが、近年では、遊技機の開発競争が激しくなり、他の遊技機との差別化を図るために枠体も従前より頻繁に変更されるようになってきている（例えば、特許文献１参照）。
【先行技術文献】
【特許文献】
【０００３】
【特許文献１】特開２００６−１８７４５９号公報（請求項１、図１、図２）
【発明の概要】
【発明が解決しようとする課題】
【０００４】
しかしながら、枠体も含めて新規に開発された遊技機の中には、前面に備えた装飾カバーに静電気が帯電して、遊技者が触れたときに不快感を与えるものがある。
【０００５】
本発明は、上記事情に鑑みてなされたもので、前面に備えた装飾カバーに静電気が帯電し難い遊技機の提供を目的とする。
【課題を解決するための手段】
【０００６】
上記目的を達成するためになされた請求項１の発明に係る遊技機は、発光素子を実装した電飾基板と、その電飾基板を前方から覆いかつ透光樹脂を含む装飾カバーとが前面に取り付けられた遊技機において、電飾基板には、遊技機の電源に備えたアースラインに導通接続されたアース接続部と、装飾カバー及びアース接続部に導通接続又は隣接して装飾カバーに帯電する静電気をアースラインに取り込む導電性の静電気取込部とが備えられ、静電気取込部は、スピーカーの振動膜を保持する金属ブラケットであるところに特徴を有する。
【０００７】
請求項２の発明は、請求項１に記載の遊技機において、装飾カバーの一部にメッキが施され、そのメッキに静電気取込部が導通接続又は隣接しているところに特徴を有する。
【０００８】
請求項３の発明は、請求項１又は２に記載の遊技機において、電飾基板の一部が装飾カバーから露出し、その露出部分に静電気取込部が取り付けられ、装飾カバーに側方から隣接配置されているところに特徴を有する。
【００１０】
請求項４の発明は、請求項１乃至３の何れか１の請求項に記載の遊技機において、電飾基板に設けられ、膜状に広がりかつアースラインに接続されたベタ導体層と、ベタ導体層に接続され、電飾基板の前面と後面とに露出した複数のスルーホールとを備えたところに特徴を有する。
【００１１】
請求項５の発明は、請求項１乃至４の何れか１の請求項に記載の遊技機において、遊技球が流下可能な遊技板と、遊技板の前方に配置された枠状をなし、内側が遊技板を視認するための遊技窓になっている前面樹脂枠と、前面樹脂枠の後面に重ねられた状態に取り付けられて、前面樹脂枠を補強すると共に電源のアースラインに導通接続された金属補強板と、前面樹脂枠の前面に重ねて取り付けられた電飾基板を含む複数の前面側電気部品と、前面樹脂枠及び金属補強板とを貫通した複数のアース接続用貫通孔と、複数のアース接続用貫通孔にそれぞれ挿通され、一端部が複数の前面側電気部品に電気接続されると共に、他端部が金属補強板に接続された複数の中継アースケーブルとを備えたところに特徴を有する。
【発明の効果】
【００１２】
［請求項１の発明］
請求項１の遊技機では、装飾カバーが、静電気取込部を介して電飾基板のアース接続部に接続されているので、装飾カバーの静電気を取り除くことができ、装飾カバーに静電気が帯電し難い遊技機を提供することができる。
また、静電気取込部をスピーカーの振動膜を保持する金属ブラケットで兼用することで、部品点数を減らすことができる。
【００１３】
［請求項２の発明］
請求項２の遊技機によれば、装飾カバーの一部にメッキが施され、そのメッキに静電気取込部が導通接続又は隣接しているので、静電気を効率よく装飾カバーから取り除くことができる。
【００１４】
［請求項３の発明］
請求項３の遊技機によれば、電飾基板の一部が装飾カバーから露出し、その露出部分に静電気取込部が取り付けられているので、静電気取込部を装飾カバーの内側に配置する必要がなくなり、装飾カバーの形状の自由度が向上する。
【００１６】
［請求項４の発明］
請求項４の遊技機によれば、装飾カバーの静電気を、電飾基板のスルーホール、ベタ導体層、アース接続部を通して電源のアースラインに取り込むことができる。
【００１７】
［請求項５の発明］
請求項５の遊技機によれば、前面樹脂枠を金属補強板で補強したので、電飾基板を含む多くの装飾部品を遊技機の前面に配置することができ、遊技機の趣向性を高めることが可能になる。また、その金属補強板は、複数の前面側電気部品の共通のアースとして使用しているので、アース用のケーブルが簡素化され、ケーブルの取り廻しが容易になる。
【図面の簡単な説明】
【００１８】
【図１】本発明の一実施形態に係る遊技機の斜視図
【図２】第２支持枠の正面図
【図３】第２支持枠の斜視図
【図４】電飾基板の正面図
【図５】スピーカー部分の側断面図
【図６】スピーカー部分の正面図
【図７】第２支持枠の背面斜視図
【図８】第２支持枠の遊技窓の外縁部分の背面斜視図
【図９】サイド電飾部の装飾カバーを取り付けた第２支持枠の斜視図
【図１０】サイド電飾部の装飾カバーを取り付けた第２支持枠の正面図
【図１１】アースラインを示す概念図
【発明を実施するための形態】
【００１９】
以下、本発明の一実施形態を図１〜図１１に基づいて説明する。図１に示すように、本実施形態のパチンコ遊技機１０は、外枠１１の前面に第１支持枠１２を重ね、さらに、その第１支持枠１２の前面に第２支持枠１３を重ねて備えている。外枠１１は、４つの帯状の木板１１Ａを互いに直交した状態に突き合わせてコーナー金具１１Ｂで接続した構造をなしている。また、外枠１１のうち向かって左側の側部には、上下の両端部に回動支持金具１１Ｃが備えられ、それら回動支持金具１１Ｃに第１支持枠１２が回動可能に支持されている。
【００２０】
第１支持枠１２の前面には、図示しない遊技板が固定されている。また、第１支持枠１２の後面には、電源を含む複数の遊技構成部品（図示しない）が取り付けられると共に、それら複数の遊技構成部品を後方から覆う透明な樹脂カバー１２Ａが取り付けられている。また、第１支持枠１２のうち向かって左側の側部には、上下の両端部に図示しない回動支持金具が備えられ、それら回動支持金具に第２支持枠１３が回動可能に支持されている。
【００２１】
なお、第２支持枠１３の前面の右下端寄り位置には、切欠部１３Ａが設けられ、第１支持枠１２に備えた突部１２Ａがその切欠部１３Ａに収まっている。そして、突部１２Ａにキー孔１２Ｂが設けられ、そこにキーを挿入して第１支持枠１２，第２支持枠１３の施解錠を行うことができるようになっている。
第２支持枠１３の内側部分は、遊技板を視認するための遊技窓１４になっていて、遊技窓１４にはガラス板１４Ｇが張られている。また、第２支持枠１３の前面のうち遊技窓１４より上側には上部演出部１５が備えられ、遊技窓１４より下側には上皿付き張出部１６と下皿付き張出部１７とが上下に並べて備えられ、さらに、遊技窓１４の側方には、左サイド電飾部１８と右サイド電飾部１９とが備えられている。
【００２２】
上部演出部１５の上面における横方向の中央には、前後方向に延びたヒンジ部１５Ｈが備えられ、そのヒンジ部１５Ｈの左右両側に１対のキャラクタ構成体１５Ａ，１５Ａが備えられている。これら１対のキャラクタ構成体１５Ａ，１５Ａは、遊技のキャラクタを縦割り分割したものであって、通常は、キャラクタ構成体１５Ａ，１５Ａの平坦な分割面が上に向いた状態になっている。そして、所定の条件が成立すると、ヒンジ部１５Ｈを中心に両キャラクタ構成体１５Ａ，１５Ａが左右対称に回動して分割面同士が合わさり、上部演出部１５上にキャラクタが出現した状態（図示せず）になる。
【００２３】
上皿付き張出部１６には、上皿１６Ａと、遊技者が遊技の演出内容を選択等するための第１と第２の演出ボタン１６Ｂ，１６Ｃと、上皿１６Ａの遊技球を下皿付き張出部１７に備えた下皿１７Ａに移動するための球抜きボタン１６Ｄ等が備えられている。なお、下皿付き張出部１７の下面には、下皿１７Ａ内の遊技球を下方に排出して図示しない箱に移すための球抜き操作部１７Ｂが備えられている。
【００２４】
下皿付き張出部１７の右側方には操作ノブ２０が設けられ、その操作ノブ２０を操作することで上皿付き張出部１６の上皿１６Ａ内の遊技球が遊技板の前面の遊技領域に打ち込まれる。そして、遊技領域に備えた図示しない所定の入賞口に遊技球が入賞すると所定複数の賞球が上皿１６Ａに払い出されると共に、当否判定が行われて、その当否に応じて遊技者に付与される利益が変わると共に、遊技領域に備えた表示部による表示演出内容も変化する。
【００２５】
左右のサイド電飾部１８，１９は、電飾基板２０，２１（図２）を装飾カバー２２，２３で覆った構造をなしている。また、右サイド電飾部１９の装飾カバー２３の下端部は前方に突出していて、その突出部分に上方に開放した開口２３Ｋが形成され、そこに剣の形状を模した押下操作部２４の下端部が受容されている。そして、遊技の進行状況に応じて押下操作部２４を押し下げ操作することで、表示演出内容を変更することができるようになっている。
【００２６】
詳細には、電飾基板２０，２１は、図２及び図３にハッチングを付して示したように、上下に延びた形状をなし、前面の全体に複数のＬＥＤ２５Ａを分散配置して備えている。そして、それら電飾基板２０，２１は、図３に示すように第２支持枠１３の前面に重ねた状態に取り付けられている。
【００２７】
また、電飾基板２０，２１は、多層構造になっていて、外面全体をソルダーレジスト層で覆われると共に、表裏のソルダーレジスト層の下に、図４の黒塗り部分で示すように、膜状に広がったベタ導体層２５Ｂを有し、そのベタ導体層２５Ｂが電飾基板２０，２１のアースラインに接続されている。また、電飾基板２０，２１には、全体に亘って複数のスルーホール（図示せず）が形成されていて、それらスルーホールの導電部分が電飾基板２０，２１の表裏に露出している。
【００２８】
図３に示すように、両電飾基板２０，２１の前面上端部には、スピーカー２６，２６が取り付けられている。図５に示すように、スピーカー２６は、スピーカー本体２６Ｈを共鳴部屋構成部材２６Ｃで支持してなる。その共鳴部屋構成部材２６Ｃは、透明な樹脂を円筒状に成形し、一端部から複数のビス留め部２６Ｄが張り出した構造になっていて、それらビス留め部２６Ｄを貫通するビスにより電飾基板２０，２１に固定されている。スピーカー本体２６Ｈは、金属ブラケット３０（本発明の「静電気取込部」に相当する）に振動膜２６Ａ、その振動膜２６Ａを振動させるボイスコイル２６Ｂ等を支持してなる。
【００２９】
金属ブラケット３０は、振動膜２６Ａを支持するリング３０Ｒから複数の支持バー３０Ｔを後方に延ばし、それら支持バー３０Ｔの先端部に支持キャップ３０Ｃを設けた構造になっている。そして、支持キャップ３０Ｃにボイスコイル２６Ｂが収容され、振動膜２６Ａと一体に動くマグネットがボイスコイル２６Ｂの内側に配置されている。また、図６に示すように、リング３０Ｒの周方向を３等分する位置からはビス留め部３０Ａが張り出していて、それらビス留め部３０Ａに形成された貫通孔に通したビスにより共鳴部屋構成部材２６Ｃに固定されている。
【００３０】
ところで、第２支持枠１３は、図７に示すように、前面樹脂枠２７の後面に金属補強板２８を重ねた構造になっている。なお、図７では、前面樹脂枠２７と金属補強板２８の後面に重ねた状態に取り付けられた樹脂製の支持補助板２９とにハッチングが付されている。金属補強板２８は、導電性金属であって、前面樹脂枠２７の後面のうち遊技窓１４の開口縁と、遊技窓１４より下側の一部の領域とを除いた略全体に敷設されて、複数のねじ孔にて前面樹脂枠２７に固定されている。
【００３１】
また、金属補強板２８のうち遊技窓１４の下辺に隣接した内縁部には、横長の突片の先端を上方に立ち上げてなるガラス受け溝２８Ａが形成されている。そして、前記したガラス板１４Ｇの下縁部がガラス受け溝２８Ａに収められた状態で、そのガラス板１４Ｇの外縁部が遊技窓１４の後面側の開口縁に宛がわれ、さらに、金属補強板２８のうち遊技窓１４より上側部分に回動可能に取り付けられた１対のガラス板保持レバー３１，３１によってガラス板１４Ｇが後方に倒れないように保持されている。
【００３２】
金属補強板２８のうちガラス受け溝２８Ａより下側部分には、遊技球の通過路を確保するためや、第２支持枠１３の前面に備えた電気部品（電飾基板２０，２１を含む）のケーブルを後方に引き出すためのに使用されるアース接続用貫通孔２８Ｂが形成されている。そして、第２支持枠１３の前面のうち遊技窓１４より下方に備えた所定複数の電気部品の複数の中継アースケーブル３３がアース接続用貫通孔２８Ｂを前後に貫通すると共に、それら複数の中継アースケーブル３３の先端に固定された丸形端子３２が金属補強板２８に螺子止めされている。即ち、金属補強板２８は第２支持枠１３の前面に備えた電気部品それぞれに接続され、それらのアースを同電位にしている。
【００３３】
支持補助板２９は、遊技窓１４より上側に配置されて横方向に延び、金属補強板２８のうち電飾基板２０，２１の上端部の後方となる位置を覆っている。また、図８に示すように、第２支持枠１３のうち電飾基板２１の上端部後方に位置する部分には、前面樹脂枠２７、金属補強板２８及び支持補助板２９に跨がってアース接続用貫通孔３５が貫通形成されている。アース接続用貫通孔３５は、四角形になっていて、そのアース接続用貫通孔３５の奥側には、電飾基板２１の後面に備えたコネクタ３６（本発明の「アース接続部」に相当する）が配置されている。また、そのコネクタ３６は、ベタ導体層２５Ｂに接続されている。そして、中継アースケーブル３４の一端部に備えた図示しないコネクタが電飾基板２１のアース接続用貫通孔３５に接続される一方、中継アースケーブル３４の他端に備えた丸形端子３２が金属補強板２８に螺子止めされている。
【００３４】
図１１には、電飾基板２１に関するアースラインが示されている。電飾基板２１は、上記した中継アースケーブル３４によって金属補強板２８に接続されている。また、金属補強板２８は、アースケーブル２８Ｃによって中継基板３８に接続され、その中継基板３８が本発明に係る「電源」としての電源基板３９のアースラインを介して遊技ホールの設備等にアース接続されている。
【００３５】
図９に示すように、左右のサイド電飾部１８，１９の装飾カバー２２，２３は、全体が透光樹脂で構成されると共に、上端部、下端部、及び上下方向の中間部にはメッキ２２Ａ，２３Ａが施されている。そして、図１に示すように、装飾カバー２２，２３は電飾基板２０，２１のうちスピーカー２６，２６が取り付けられた上端部を除く全体を前方から覆い、電飾基板２０，２１の上端部は上部演出部１５に設けられたスピーカーカバー１５Ｂ，１５Ｂによって覆われ、スピーカーカバー１５Ｂ，１５Ｂに形成された貫通孔を通してスピーカー２６，２６の振動膜２６Ａ，２６Ａのみが露出している。また、右サイド電飾部１９の装飾カバー２３に関しては、図６に示すように、装飾カバー２３の上端のメッキ２３Ａと金属ブラケット３０における１つのビス留め部３０Ａとが隣接している。また、図５に示すように、金属ブラケット３０の支持キャップ３０Ｃは、電飾基板２１に形成されている複数のスルーホールと隣接している。
【００３６】
本実施形態のパチンコ遊技機１０の構成に関する説明は以上である。次に、このパチンコ遊技機１０の作用効果について説明する。パチンコ遊技機１０で遊技を行うと、パチンコ遊技機１０の前面の樹脂部品に静電気が発生することがある。特に、本実施形態のパチンコ遊技機１０では、押下操作部２４が上下動する構成になっているので、その押下操作部２４の上下動によって押下操作部２４と右サイド電飾部１９の装飾カバー２３との間に静電気が多く発生することが考えられる。
【００３７】
しかしながら、装飾カバー２３に生じた静電気は、その装飾カバー２３の上端のメッキ２３Ａからスピーカー２６の金属ブラケット３０へと流れ、金属ブラケット３０の支持キャップ３０Ｃから電飾基板２１のスルーホールを介してベタ導体層２５Ｂ（図４参照）へと流れる。そして、コネクタ３６、中継アースケーブル３４を通して第２支持枠１３の金属補強板２８に流れ、最終的に遊技ホールの設備のアースへと流れ込む。また、パチンコ遊技機１０の前面の他の部品に帯電した静電気も、第２支持枠１３の前面に備えた電気部品及びその電気部品から延びた中継アースケーブル３３を通して金属補強板２８に流れ込み、最終的に遊技ホールの設備のアースへと流れ込む。
【００３８】
このようにして、本実施形態のパチンコ遊技機１０によれば、装飾カバー２３を含む前面の樹脂部品の静電気を取り除くことができ、装飾カバー２３等に静電気が帯電し難い遊技機を提供することができる。特に、装飾カバー２３に関しては、メッキ２３Ａと金属ブラケット３０（本発明の「静電気取込部」に相当する）とが隣接しているので静電気を効率よく装飾カバー２３から取り除くことができると共に、金属ブラケット３０がスピーカーの振動膜２６Ａを保持する役割と、アースラインとしての役割に兼用されているので、部品点数を減らすことができる。
【００３９】
また、本実施形態のパチンコ遊技機１０では、前面樹脂枠２７を金属補強板２８で補強したので、電飾基板２０を含む多くの装飾部品をパチンコ遊技機１０の前面に配置することができ、パチンコ遊技機１０の趣向性を高めることが可能になる。また、その金属補強板２８を、複数の前面側電気部品の共通のアースとして使用しているので、アース用のケーブルが簡素化され、ケーブルの取り廻しが容易になる。
【００４０】
［他の実施形態］
本発明は、前記実施形態に限定されるものではなく、例えば、以下に説明するような実施形態も本発明の技術的範囲に含まれ、さらに、下記以外にも要旨を逸脱しない範囲内で種々変更して実施することができる。
【００４２】
前記実施形態のパチンコ遊技機１０では、電飾基板２０，２１を含む第２支持枠１３の前面に備えた複数の電気部品が金属補強板２８にそれぞれ接続され、その金属補強板２８が中継基板３８を介して電源基板３９のアースラインに接続されていたが、第２支持枠１３前面の電飾基板を含む複数の電気部品は、異なる経路で電源基板に接続されていてもよい。
【符号の説明】
【００４３】
１０    パチンコ遊技機
１４    遊技窓
２０，２１    電飾基板
２５Ａ    ＬＥＤ（発光素子）
２２，２３    装飾カバー
２２Ａ，２３Ａ    メッキ
２５Ｂ    ベタ導体層
２６    スピーカー
２７    前面樹脂枠
２８    金属補強板
２８Ｂ    アース接続用貫通孔
３０    金属ブラケット（静電気取込部）
３３，３４    中継アースケーブル
３６    コネクタ（アース接続部）
３９    電源基板（電源）
【図１】
0005938734.tif 000002
【図２】
0005938734.tif 000003
【図３】
0005938734.tif 000004
【図４】
0005938734.tif 000005
【図５】
0005938734.tif 000006
【図６】
0005938734.tif 000007
【図７】
0005938734.tif 000008
【図８】
0005938734.tif 000009
【図９】
0005938734.tif 000010
【図１０】
0005938734.tif 000011
【図１１】
0005938734.tif 000012